(57)【特許請求の範囲】
【請求項１】
キャップ基体（Ｂ１）と、該キャップ基体（Ｂ１）に取り付けられた蓋体（Ｂ２）とからなるキャップを備えた振出し容器であって、
蓋体（Ｂ２）は、廻動蓋（Ｂ２ａ）と、該廻動蓋（Ｂ２ａ）に連結片（３７）を介して連設された摺動体（Ｂ２ｂ）とを具備しており、
キャップ基体（Ｂ１）は、頂壁（１０）に振出し孔（１１）を穿孔した振出し筒（３）と、廻動蓋（Ｂ２ａ）の支持部（１４）と摺動体（Ｂ２ｂ）の案内部（１５）とを具えた案内壁（４ａ，４ｂ）と、支持板（１３）を立設した仕切板（２）とを具備しており、
前記摺動体（Ｂ２ｂ）は、摺動体支持枠（４２）と摺動板（４３ａ，４３ｂ）とを具え、摺動体支持枠（４２）には、係止板（４６）を具えた連結板（４４）が連設されており、
前記廻動蓋（Ｂ２ａ）は、案内壁（４ａ，４ｂ）の支持部（１４）に廻動自在に軸支され、連結板（４４）に連結片（３７）を介して連設されており、
摺動体（Ｂ２ｂ）の移動に応じて、廻動蓋（Ｂ２ａ）が開閉されるとともに、係止板（４６）と支持板（１３）とが係合離脱するようにしていることを特徴とする振出し容器。
【請求項２】
連結板（４４）が、両側板（４５ａ，４５ｂ）と側板間に架設された係止板（４６）と開口部（４７）とを具えており、前記両側板（４５ａ，４５ｂ）の先端が、連結片（３７）を介して廻動蓋（Ｂ２ａ）の廻動蓋支持枠（３１）に接続されていることを特徴とする請求項１記載の振出し容器。
【請求項３】
キャップ基体（Ｂ１）が、案内壁（４ａ，４ｂ）の上端縁と側周壁（１）上端に係合する二つの頂壁（２１ａ，２１ｂ）と連結部（２２）とからなる頂板（５）を具え、頂壁（２１ａ，２１ｂ）間に廻動蓋（Ｂ２ａ）の廻動を規制し、摺動体（Ｂ２ｂ）に係止する天板（２５）を架設したことを特徴とする請求項１または２記載の振出し容器。
【請求項４】
摺動体（Ｂ２ｂ）の摺動板（４３ａ，４３ｂ）が、案内壁（４ａ，４ｂ）の案内部（１５）に沿って案内され、開蓋時に支持部（１４）に刻設された縦溝（１９）によって形成された嵌合壁（１９ａ）と案内壁（４ａ，４ｂ）との間で係合圧接され、摺動体（Ｂ２ｂ）の妄動が阻止されるようにしたことを特徴とする請求項１〜３のいずれかに記載の振出し容器。
【発明の詳細な説明】
【０００１】
【発明の属する技術分野】
本発明は、振出し容器とくに回動式開閉蓋を具えた振出し容器に関する。
【０００２】
【従来の技術】
回動式開閉蓋を具えた振出し容器として、振出し孔（１２）を閉塞する栓を設けた回動可能な開閉板（２０ａ）と該開閉板（２０ａ）に摺動体（２１ａ）をヒンジ（２２）によって連接し、摺動体（２１ａ）を内方に押込み、ヒンジ（２２）を介して開閉板（２０ａ）を回動させ、栓を上方へ移動させ、振出し孔（１２）を開孔して、内容物を振出しするようにした振出し容器は、実公昭５０−３９２５１号公報に記載されているように、従来より知られている。
【０００３】
【発明が解決しようとする課題】
上記公報記載の振出し容器においては、開閉板（２０ａ）のリンク板（２０ｃ）と、摺動体（２１ａ）の公報第７図に示されたような折曲された弾性板（２１ｂ）の先端とがヒンジ部（２２）によって連結され、閉蓋時には、弾性板（２１ｂ）の復元性により開閉板（２０ａ）の閉鎖状態を維持するように作用し、開蓋時には、弾性板（２１ｂ）の折曲部と摺動面との間の摩擦抵抗により、開蓋状態を維持するようにしている。
【０００４】
しかしながら、振出し容器を永らくの間使われないで、開閉板の閉鎖状態を長期間にわたって維持している場合や、また、容器が大きくなり比較的に長期にわたって使っている場合には、樹脂の経時的ななじみにより弾力性が劣ってきて、わずかの減少であっても、閉蓋時に開閉蓋が閉まりきらずに、開閉板（２０ａ）の先端前面にわずかな隙間が生じることがあるという問題が生じた。
【０００５】
また、開閉蓋を長時間開蓋状態のまま放置しておくと、弾性板（２１ｂ）の根元部とともにヒンジ部がなじみにより弾力性を減少させ、開閉板（２０ａ）の先端前面に隙間が発生するという問題があった。
【０００６】
本発明は、上記問題を解決することを課題として、長期間の使用、とくに開閉蓋を長時間開放状態に放置しておいても、隙間を生じさせないようにした改良された回動式開閉蓋を具えた振出し容器を提供することを目的とする。
【０００７】
【課題を解決するための手段】
本発明は、上記の課題を解決するため、振出し容器として、キャップ基体と、該キャップ基体に取り付けられた蓋体とからなるキャップを備えた振出し容器であって、蓋体は、廻動蓋と、該廻動蓋に連結片を介して連設された摺動体とを具備しており、キャップ基体は、頂壁に振出し孔を穿孔した振出し筒と、廻動蓋の支持部と摺動体の案内部とを具えた案内壁と、支持板を立設した仕切板とを具備しており、前記摺動体は、摺動体支持枠と摺動板とを具え、摺動体支持枠には、係止板を具えた連結板が連設されており、前記廻動蓋は、案内壁の支持部に廻動自在に軸支され、連結板に連結片を介して連設されており、摺動体の移動に応じて、廻動蓋が開閉されるとともに、係止板と支持板とが係合離脱するようにしていることを特徴とする構成を採用する。
【０００８】
連結板の具体的な実施態様として、連結板が、両側板と側板間に架設された係止板と開口部とを具えており、前記両側板の先端が、連結片を介して廻動蓋の廻動蓋支持枠に接続されていることを特徴とする構成を付加する。
【０００９】
キャップの天面を覆い、廻動蓋の回転位置を規制するために、キャップ基体が、案内壁の上端縁と側周壁上端に係合する二つの頂壁と連結部とからなる頂板を具え、頂壁間に廻動蓋の廻動を規制し、摺動体に係止する天板を架設したことを特徴とする構成を付加する。
【００１０】
開蓋時の摺動体の妄動を防ぐために、摺動体の摺動板が、案内壁の案内部に沿って案内され、開蓋時に支持部に刻設された縦溝によって形成された嵌合壁と案内壁との間で係合圧接され、摺動体の妄動が阻止されるようにしたことを特徴とする構成を付加する。
なお、特許請求の範囲の記載において、支持枠については、摺動体と廻動蓋のそれぞれの支持枠を摺動体支持枠（４２）と廻動蓋支持枠（３１）に区別して記載した。
【００１１】
【発明の実施の形態】
次に、本発明の振出し容器について、図面を参照して説明する。
図１において、Ａは粉末状の香辛料、調味料等を収納した容器、Ｂは容器Ａ口筒部に螺着された振出し用キャップで、キャップＢは、キャップ基体Ｂ１と、キャップ基体Ｂ１に取着され、廻動蓋Ｂ２ａと摺動体Ｂ２ｂとを具えた蓋体Ｂ２とからなっている。
【００１２】
図２，３に示すように、キャップ基体Ｂ１は、円筒状の側周壁１と側周壁１内部を上下に区切る仕切板２と、仕切板２上に立設された振出し筒３と、廻動蓋Ｂ２ａと摺動体Ｂ２ｂのための案内壁４ａ，４ｂおよび頂板５とを具えている。
側周壁１の仕切板２下方の内周には、容器口筒部のねじに螺合するねじ６が螺設されている。
【００１３】
振出し筒３は、円弧状の周壁７と両側の側壁８ａ，８ｂ、上部を垂直壁９ａとして下部を傾斜壁９ｂとした周壁７に対向した側壁９と頂壁１０とから形成されている。
振出し筒３内は、容器Ａ口筒部に対して開かれた連通部となっており、頂壁１０には、複数個の振出し孔１１が穿孔されている。
周壁７の上部には、一定の範囲に段部１２が設けられており、傾斜壁９ｂの外周面には、一定の長さの頂辺１３ａを有する支持板１３が立設されている。
【００１４】
案内壁４ａ，４ｂは、振出し筒３の側壁８ａ，８ｂを延長して形成された廻動蓋Ｂ２ａの支持部１４、該支持部１４より狭巾とした摺動体Ｂ２ｂの案内部１５とを具えている。
案内壁４ａ，４ｂの上端縁１６は、中央が高くなった弧状に形成されており、上端縁１６のほぼ中央には、軸受け溝１７が刻設されており、案内壁４ａ，４ｂの外側には、軸受け溝１７を形成するため突出部１８が設けられている。
支持部１４の内側下方には、摺動体Ｂ２ｂに係合するため傾斜壁９ｂを削って縦溝１９が形成され、振出し筒３の側は嵌合壁１９ａとなっている。
【００１５】
振出し筒３の周壁７に対向する側周壁１の上端内周には、膨出部２０が設けられ、周壁７との間で頂板５の支持部が形成されている。
頂板５は、側周壁１と案内壁４ａ，４ｂとの間を被う二つの頂壁２１ａ，２１ｂと頂壁２１ａ，２１ｂを結ぶ連結部２２とからなっている。
【００１６】
各頂壁２１ａ，２１ｂは、一つのドームを形成しており、内端縁２３ａ，２３ｂは、案内壁４ａ，４ｂの上端縁１６に、外周縁２４は、側周壁１の上端に係合している。
内端縁２３ａ，２３ｂとの間には上端を案内壁４ａ，４ｂの中央近くに位置する天板２５が架設されている。
天板２５の上面は、頂壁２１ａ，２１ｂとともに前記ドームの一部をなしている。
【００１７】
連結部２２外周は、側周壁１の上端に接する突出縁２６となっており、下方には、側周壁１と振出し筒３の周壁７との間に挟持され、中間に膨出部２０に係合する膨出部２７を設けた係合片２８が垂設されている。
係合片２８が嵌合されたときには、各頂壁２１ａ，２１ｂの内端縁２３ａ，２３ｂ、外周縁２４は、それぞれ案内壁４ａ，４ｂの上端縁１６、側周壁１の上端に圧接し、頂板５は、側周壁１と周壁７との間に強固に締着される。
【００１８】
図４に示すように、蓋体Ｂ２の廻動蓋Ｂ２ａは、頂板３０と支持枠３１とを具えており、頂板３０の下面には、振出し孔１１を閉鎖する複数の栓体３２が垂設されている。
支持枠３１の両側壁３３には、支軸３４が突設されており、端面３５の下端には、外方に延びる突出縁３６が設けられている。
突出縁３６の端縁の所定の位置からヒンジ部を形成する連結片３７が垂設されている。
【００１９】
摺動体Ｂ２ｂは、円弧状周壁３８と、両側壁３９ａ，３９ｂ、係止部４０ａを設けた頂壁４０と、該頂壁４０の内端より垂設された短い内側壁４１とからなる支持枠４２とを具えている。
両側壁３９ａ，３９ｂの端部は、内方に延びる摺動板４３ａ，４３ｂとなっており、内側壁４１の下端には、内方に延びる連結板４４が連設されている。
連結板４４は、両側板４５ａ，４５ｂと両側板４５ａ，４５ｂの間に架設された係止板４６とを具えており、係止板４６と内側壁４１との間は、開口４７となっている。
両側板４５ａ，４５ｂの先端は、前記連結片３７と接続され、接続部４８は、ヒンジ部の折曲部となっている。
【００２０】
キャップＢの組立は、蓋体Ｂ２を案内壁４ａ，４ｂとの間に位置させ、廻動蓋Ｂ２ａの支軸３４を軸受け溝１７に嵌挿させて、摺動体Ｂ２ｂを仕切板２上に載置することによって蓋体Ｂ２をキャップ基体Ｂ１に装着し、次いで、頂板５の係止片２８を側周壁１と振出し筒３との間に嵌着し、そのことによって、頂板５の内端縁２３ａ，２３ｂを案内壁４ａ，４ｂの上端縁１６に圧接し、支軸３４を軸受け溝１７内に押圧し、軸支する。
また、頂板５の天板２５で摺動体Ｂ２ｂの支持枠４２の頂壁４０を押え、摺動体Ｂ２ｂが上下に妄動しないよう保持する。
【００２１】
次に、振出し容器の使用態様と作用効果について説明する。
振出し容器には、香辛料その他の粉末調味料が入れられ、廻動蓋Ｂ２ａを閉じたキャップＢが被嵌される。
図５に示すように、廻動蓋Ｂ２ａが閉蓋されているときには、キャップ基体Ｂ１の支持板１３が蓋体Ｂ２の摺動体Ｂ２ｂの係止板４６に係合し、廻動蓋Ｂ２ｂを閉蓋状態に維持している。
【００２２】
使用に当たって、廻動蓋Ｂ２ａを開くときには、図５（ｂ）に示すように、摺動体Ｂ２ｂの支持枠４２の円弧状周壁３８を内方に押圧すると、摺動板４３ａ，４３ｂが案内壁４ａ，４ｂの案内部１５によって案内され、嵌合壁１９ａに嵌合し、側板４５ａ，４５ｂの先端が廻動蓋Ｂ２ａの連結片３７を廻動させるように作用し、廻動蓋Ｂ２ａは時計方向に天板２５の上端に圧接されるまで廻動され、開蓋される。
【００２３】
振出しにあたって、振出し容器を下方に向け振り出されるが、廻動蓋Ｂ２ａは、時計方向の廻動は天板２５の上端によって阻止され、反時計方向の廻動は摺動体Ｂ２ｂの摺動板４３ａ，４３ｂが嵌合壁１９ａに係合、圧接されることによって、摺動体Ｂ２ｂの妄動が阻止されており、そのことによって、廻動蓋Ｂ２ａの廻動が阻止され、一定の開蓋状態が維持される。
【００２４】
その際、支持板１３の頂辺１３ａは係止板４６より離れ、開口４７部分に位置しており、連結板４４の側板４５ａ，４５ｂと連結片３７のヒンジ部分には、支持板１３による作用が及ぼされないので、ヒンジ部の変形は、連結片３７の湾曲変形と接続部４８の緩やかな屈曲によるものであるから、各部分の歪み量は少なく、樹脂のなじみによる変形は生じない。
【００２５】
廻動蓋Ｂ２ａの閉蓋は、廻動蓋頂板３０を押圧することにより廻動蓋Ｂ２ｂを反時計方向に廻動させ、連結片３７を介して摺動体Ｂ２ｂを外方に摺動させる。
摺動体Ｂ２ｂの周壁３８をキャップＢの側周壁１に一致するまで後退させると、頂板５の天板２５下端は、頂壁４０に成形された係止部４０ａに係合してその位置を維持する。
また、支持板１３の頂辺１３ａは、開口４７から出て係止板４６に係合し、連結板４４を押上げ、廻動蓋Ｂ２ａの先端を連結部２２の周縁部に圧接させ、閉蓋状態を維持するよう作動する。
【００２６】
【発明の効果】
本発明は、上記のように構成されているから、次の効果を奏する。
キャップ基体に支持板を立設し、蓋体の摺動体に廻動蓋に連接した連結板を設け、該連結板に係止板と開口とを具えているから、廻動蓋の閉蓋時には支持板が係止板に係合し廻動蓋をしっかり閉めた状態に保持することができる。
【００２７】
開蓋時に摺動体を押圧したときに、支持板の頂辺が開口に入り込み、支持板と係止板との係合を解くようにしているから、開閉状態で長時間放置しておいても、廻動蓋と摺動体のヒンジ部分に影響を与えない。
そのため、再び閉蓋したときには、廻動蓋が浮き上がることはなく、確実に閉じられ、隙間のない状態を維持することができる。
【図面の簡単な説明】
【図１】本発明振出し容器の断面図である。
【図２】キャップ基体の説明図で、（ａ）は上面図、（ｂ）は断面正面図である。
【図３】キャップ基体の説明図で、（ａ）は左側面図、（ｂ）は右側面図である。
【図４】廻動蓋の説明図で、（ａ）は上面図、（ｂ）は断面正面図、（ｃ）は底面図である。
【図５】  廻動蓋の開閉状態の説明図で、（ａ）は閉蓋時の断面正面図、（ｂ）は開放時の断面正面図である。
【符号の説明】
Ａ        容器
Ｂ        キャップ
Ｂ１      キャップ基体
Ｂ２      蓋体
Ｂ２ａ    廻動蓋
Ｂ２ｂ    摺動体
１        側周壁
２        仕切板
３        振出し筒
４ａ，ｂ  案内壁
５        頂板
７        周壁
８ａ，ｂ  側壁
９        側壁
９ａ      垂直壁
９ｂ      傾斜壁
１０      頂壁
１１      振出し孔
１２      段部
１３      支持板
１３ａ    頂辺
１４      支持部
１５      案内部
１６      上端縁
１７      軸受け溝
１９      縦溝
１９ａ    嵌合壁
２１ａ，ｂ  頂壁
２２        連結部
２３ａ，ｂ  内端縁
２４        外周縁
２５        天板
２５ａ，ｂ  下端縁
２６        突出縁
２８        係合片
３０        頂板
３１        支持枠
３２        栓体
３３        側壁
３４        支軸
３５        端面
３６        突出縁
３７        連結片
３８        円弧状周壁
３９ａ，ｂ  側壁
４０        頂壁
４０ａ      係止部
４１        内側壁
４２        支持枠
４３ａ，ｂ  摺動板
４４        連結板
４５ａ，ｂ  側板
４６        係止板
４７        開口
４８        接続部
【図１】
0004316162.tif 000002
【図２】
0004316162.tif 000003
【図３】
0004316162.tif 000004
【図４】
0004316162.tif 000005
【図５】
0004316162.tif 000006